(57)【特許請求の範囲】
【請求項１】
ねじ収納部および電線挿入用開口を有する端子台本体と、
この端子台本体に上下方向に沿って移動可能に取り付けられ、挟持面部を有する可動金具と、
この可動金具にこの可動金具と一体となって上下動するように取り付けられ、ねじ孔部を有するナット体と、
前記端子台本体に取り付けられ、前記可動金具の前記挟持面部とともに電線を挟持する挟持面部を有する端子金具と、
前記ねじ収納部内に回転可能に配設され、前記ナット体の前記ねじ孔部に螺合されたねじとを備え、
前記可動金具は、前記ナット体が上部内側に嵌入により取り付けられた可動金具本体を有し、
この可動金具本体は、
上面部が前記挟持面部となっている挟持板部と、
この挟持板部の左右両端部から立り上った立上り板部と、
この立上り板部の上部内面に突設され、前記ナット体を下方から支持するナット受突部と、
前記挟持板部の前端部から下方に向って突出し、前記電線挿入用開口を閉じて電線の誤挿入を防止する誤挿入防止板部とを有する
ことを特徴とする端子台装置。
【請求項２】
可動金具の挟持面部および端子金具の挟持面部の少なくとも一方には、電線との摩擦を増大させる摩擦増大凸部が形成されている
ことを特徴とする請求項１記載の端子台装置。
【請求項３】
可動金具は、可動金具本体の上端部に固着された上蓋を有し、
前記可動金具本体は、立上り板部の上部に形成された上蓋被取付孔部を有し、
前記上蓋は、ねじが挿通されたねじ挿通用孔部および前記上蓋被取付孔部に嵌着された取付脚部を有する
ことを特徴とする請求項１または２記載の端子台装置。
【請求項４】
端子金具は、
下面部が挟持面部となっている挟持板部と、
この挟持板部の前端部から上方に向って突出した上方突出板部と、
前記挟持板部の後端部から下方に向って突出した下方突出板部と、
この下方突出板部の下端に設けられた端子部とを有し、
ねじは、前記挟持板部より上方の空間部分にて構成されたねじ収納部内の定位置で回転し、このねじ収容部内から抜け出ないようになっている
ことを特徴とする請求項１ないし３のいずれか一記載の端子台装置。
【発明の詳細な説明】
【技術分野】
【０００１】
本発明は、端子金具の製造が容易な端子台装置に関するものである。
【背景技術】
【０００２】
従来、例えば端子台本体と、ねじを回転自在に保持する保持部および端子台本体に摺動可能に取り付けられる摺動部を設けた端子片と、ねじが螺着されるねじ孔部を有し端子片を摺動移動しつつねじの螺着によって保持部とともに電線を挟持する端子金具とを備えた端子台装置が知られている（例えば、特許文献１参照）。
【特許文献１】特開平６−６０９１９号公報
【発明の開示】
【発明が解決しようとする課題】
【０００３】
しかしながら、上記従来の端子台装置では、端子金具の所定部位にタップ加工によりねじ孔部を形成しなければならず、端子金具の製造に手間がかかるという問題がある。
【０００４】
本発明は、このような点に鑑みなされたもので、端子金具にタップ加工によりねじ孔部を形成する必要がなく、端子金具を容易に製造できる端子台装置を提供することを目的とする。
【課題を解決するための手段】
【０００５】
請求項１記載の端子台装置は、ねじ収納部および電線挿入用開口を有する端子台本体と、この端子台本体に上下方向に沿って移動可能に取り付けられ、挟持面部を有する可動金具と、この可動金具にこの可動金具と一体となって上下動するように取り付けられ、ねじ孔部を有するナット体と、前記端子台本体に取り付けられ、前記可動金具の前記挟持面部とともに電線を挟持する挟持面部を有する端子金具と、前記ねじ収納部内に回転可能に配設され、前記ナット体の前記ねじ孔部に螺合されたねじとを備え、前記可動金具は、前記ナット体が上部内側に嵌入により取り付けられた可動金具本体を有し、この可動金具本体は、上面部が前記挟持面部となっている挟持板部と、この挟持板部の左右両端部から立り上った立上り板部と、この立上り板部の上部内面に突設され、前記ナット体を下方から支持するナット受突部と、前記挟持板部の前端部から下方に向って突出し、前記電線挿入用開口を閉じて電線の誤挿入を防止する誤挿入防止板部とを有するものである。
【０００６】
請求項２記載の端子台装置は、請求項１記載の端子台装置において、可動金具の挟持面部および端子金具の挟持面部の少なくとも一方には、電線との摩擦を増大させる摩擦増大凸部が形成されているものである。
【０００７】
請求項３記載の端子台装置は、請求項１または２記載の端子台装置において、可動金具は、可動金具本体の上端部に固着された上蓋を有し、前記可動金具本体は、立上り板部の上部に形成された上蓋被取付孔部を有し、前記上蓋は、ねじが挿通されたねじ挿通用孔部および前記上蓋被取付孔部に嵌着された取付脚部を有するものである。
【０００８】
請求項４記載の端子台装置は、請求項１ないし３のいずれか一記載の端子台装置において、端子金具は、下面部が挟持面部となっている挟持板部と、この挟持板部の前端部から上方に向って突出した上方突出板部と、前記挟持板部の後端部から下方に向って突出した下方突出板部と、この下方突出板部の下端に設けられた端子部とを有し、ねじは、前記挟持板部より上方の空間部分にて構成されたねじ収納部内の定位置で回転し、このねじ収容部内から抜け出ないようになっているものである。
【発明の効果】
【０００９】
請求項１に係る発明によれば、ねじ孔部を有するナット体が取り付けられた可動金具の挟持面部と端子金具の挟持面部とで電線を挟持する構成であるため、端子金具にタップ加工によりねじ孔部を形成する必要がなく、端子金具を容易に製造でき、また、可動金具が端子台本体の電線挿入用開口を閉じる誤挿入防止板部を有するため、電線の電線挿入用開口への誤挿入を防止できる。
【００１０】
請求項２に係る発明によれば、可動金具の挟持面部および端子金具の挟持面部の少なくとも一方には電線との摩擦を増大させる摩擦増大凸部が形成されているため、電線の抜けを効果的に防止できる。
【発明を実施するための最良の形態】
【００１１】
本発明の端子台装置の一実施の形態を図面を参照して説明する。
【００１２】
図１ないし図３において、１は端子台装置で、この端子台装置１は、例えば３本の配線である電線（図示せず）が接続される３Ｐ型のものである。
【００１３】
端子台装置１は、絶縁性を有する合成樹脂製の端子台本体２を備えている。端子台本体２は、上面に複数、例えば３つの略円形状のねじ操作用開口３を有し、前面に複数、例えば３つの略円形状の電線挿入用開口４を有している。３つのねじ操作用開口３のうち１つのねじ操作用開口３が残りの２つのねじ操作用開口３に比べて径小に形成され、同様に３つの電線挿入用開口４のうち１つの電線挿入用開口４が残りの２つの電線挿入用開口４に比べて径小に形成されている。また、図４および図５に示されるように、端子台本体２は、上面開口であるねじ操作用開口３を介して上方に開口するとともに前面開口である電線挿入用開口４を介して前方に開口しかつ下面開口５を介して下方に開口する内部空間６を有している。
【００１４】
端子台装置１は、導電性を有する金属製の可動金具11を複数、例えば３つ備えている。可動金具11は、端子台本体２に上下方向に沿って移動可能に取り付けられ、端子台本体２の内部空間６内に上下動可能に配設されている。可動金具11は、例えば可動金具本体12と、この可動金具本体12の上端部に固着された上蓋13とにて構成されている。
【００１５】
可動金具本体12は、水平状の挟持板部15を有し、挟持板部15の左右両端部から立上り板部16が立ち上がり、挟持板部15の前端部からは、端子台本体２の電線挿入用開口４を閉じて電線の誤挿入を防止する誤挿入防止部である誤挿入防止板部17が下方に向って突出している。挟持板部15の上面部が、電線の先端部に圧着する挟持面部18となっており、この挟持面部18には電線の先端部との摩擦を増大させる複数本、例えば平行な２本の線状の摩擦増大凸部（リブ）19が形成されている。挟持板部15の下面部における２本の線状の摩擦増大凸部19に対応する位置には溝部20が形成されている。立上り板部16の上部内面には対をなすナット受突部21が突設され、立上り板部16の上部における両ナット受突部21間の位置には上蓋被取付孔部22が形成されている。
【００１６】
一方、上蓋13は、略四角状、例えば略正方形状をなす水平状の基板部23を有し、基板部23の左右両端部から取付脚部24が下方に向って突出し、取付脚部24が可動金具本体12の上蓋被取付孔部22に嵌着されている。基板部23の中央部には、略円形状のねじ挿通用孔部25が形成されている。
【００１７】
端子台装置１は、導電性を有する金属製のナット体（板ナット）31を複数、例えば３つ備えている。
【００１８】
ナット体31は、可動金具11と一体となって端子台本体２の内部空間６内で上下動するように可動金具本体12の上部内側に固着され、ナット受突部21にて下方から支持された状態となっている。ナット体31は、例えば可動金具本体12の上部内側に嵌入により取り付けられた略四角状、例えば略正方形状をなす板部材32にて構成され、この板部材32の中央部に上下に貫通したねじ孔部33が形成されている。なお、可動金具11とナット体31とにて、端子台本体２の内部空間６内で上下動する可動金具部30が構成されている。
【００１９】
端子台装置１は、導線性を有する金属製の端子金具（リード端子）41を複数、例えば３つ備えている。
【００２０】
端子金具41は、端子台本体２の内側に固着され、端子台本体２の内部空間６内に固設されている。端子金具41は、可動金具11の挟持板部15と対向して位置する水平状の挟持板部42を有している。挟持板部42の前端部から上方突出板部43が上方に向って突出し、挟持板部42の後端部から下方突出板部44が下方に向って突出し、下方突出板部44の下端には端子部45が設けられている。端子金具41の挟持板部42の下面部が、電線の先端部に圧着する挟持面部48となっており、この挟持面部48には電線の先端部との摩擦を増大させる複数本、例えば平行な３本の線状の摩擦増大凸部（リブ）49が形成されている。挟持板部42の上面部における３本の線状の摩擦増大凸部49に対応する位置には溝部50が形成されている。そして、可動金具部30の上動によって可動金具11の挟持面部18が端子金具41の挟持面部48に対して接近移動し、端子金具41の挟持面部48と可動金具11の挟持面部18とにて電線の先端部が上下から圧着挟持される。なお、端子台本体２の内部空間６は、端子金具41の挟持板部42にて上下に２つに区画され、端子金具41の挟持板部42より上方の空間部分がねじ収納部6aとなっている。
【００２１】
端子台装置１は、端子台本体２のねじ収容部6a内に回転可能に配設されナット体31のねじ孔部33に螺合された電線接続用のねじ51を複数、例えば３つ備えている。ねじ51は、緩めきっても端子台本体２のねじ収容部6a内から抜け出ないようにねじ収容部6a内に収納されている。
【００２２】
ねじ51は、可動金具11の上蓋13のねじ挿通用孔部25に挿通されかつナット体31のねじ孔部33に螺合されたねじ軸部52を有し、ねじ軸部52の上端部にはドライバ等の工具であるねじ回し工具（図示せず）にて回転操作されるねじ頭部53が設けられている。ねじ頭部53にはねじ回し工具の先端部と係合する係合溝54が形成されている。
【００２３】
そして、ねじ回し工具にてねじ51のねじ頭部53を緩め方向に回転操作すると、ねじ51がねじ収容部6a内の定位置で回転し、このねじ51の回転に応じて可動金具11およびナット体31が内部空間６内で下動し、可動金具11の挟持面部18が端子金具41の挟持面部48に対して離反移動し、可動金具11の挟持面部18と端子金具41の挟持面部48との間に電線挿入空間55が形成される。
【００２４】
また、ねじ回し工具にてねじ51のねじ頭部53を締付け方向に回転操作すると、ねじ51がねじ収容部6a内の定位置で回転し、このねじ51の回転に応じて可動金具11およびナット体31が内部空間６内で上動し、可動金具11の挟持面部18が端子金具41の挟持面部48に対して接近移動し、電線挿入空間55に挿入した電線の先端部が端子金具41の挟持面部48と可動金具11の挟持面部18とにて上下から圧着挟持される。
【００２５】
次に、上記一実施の形態の作用等を説明する。
【００２６】
端子台装置１に電線を接続する場合、まず、ねじ回し工具にてねじ51のねじ頭部53を緩め方向に回転操作することにより、可動金具11およびナット体31を内部空間６内で下動させ、可動金具11の挟持面部18と端子金具41の挟持面部48との間に電線挿入用開口４を介して前方に開口する電線挿入空間55を形成する。
【００２７】
そして、電線の先端部を端子台本体２の前方側から電線挿入用開口４を通して電線挿入空間55内に挿入した後、ねじ回し工具にてねじ51のねじ頭部53を締付け方向に回転操作する。
【００２８】
ねじ51のねじ頭部53を締付け方向に回転操作すると、ねじ51の回転に応じて可動金具11およびナット体31が内部空間６内で上動し、可動金具11の挟持面部18が端子金具41の挟持面部48に対して接近移動し、電線挿入空間55に挿入した電線の先端部が端子金具41の挟持面部48と可動金具11の挟持面部18とにて上下から圧着挟持される。この際、電線の先端部に挟持面部18，48の摩擦増大凸部19，49が食い込み、電線の先端部が挟持面部18，48にて強固に挟持される。なお、ねじ51のねじ軸部52の先端部は電線の先端部には当たらない。
【００２９】
そして、端子台装置１によれば、ねじ51の紛失を防止できるばかりでなく、ねじ孔部33を有するナット体31が取り付けられた可動金具11の挟持面部18と端子金具41の挟持面部48とで電線を挟持する構成であるため、端子金具41にタップ加工によりねじ孔部を形成する必要がなく、端子金具41を容易に製造できる。例えば可動金具11および端子金具41をプレス型で加工でき、可動金具11および端子金具41に摩擦増大凸部19，49を簡単に形成できる。
【００３０】
また、電線の先端部に食い込む摩擦増大凸部19，49を可動金具11および端子金具41に形成することによって、電線の抜けを効果的に防止できる。
【００３１】
さらに、可動金具11が端子台本体２の前面開口である電線挿入用開口４を閉じる誤挿入防止板部17を有するため、電線の電線挿入用開口４への誤挿入を防止できる。
【００３２】
また、略四角状の板部材32にて構成されたナット体31を可動金具11の可動金具本体12の上部内側に嵌入により容易に取り付けることができ、可動金具部30の組み立てが容易である。
【００３３】
なお、上記実施の形態では、３本の電線を接続する３Ｐ型について説明したが、例えば図６に示すような４本の電線を接続する４Ｐ型や、図示しないが、５本の電線を接続する５Ｐ型、或いは１本の電線を接続する１Ｐ型等でもよい。
【００３４】
また、可動金具11の挟持面部18および端子金具41の挟持面部48の両方に電線との摩擦を増大させる摩擦増大凸部19，49が形成された構成について説明したが、可動金具11の挟持面部18のみに摩擦増大凸部を形成した構成や、端子金具41の挟持面部48のみに摩擦増大凸部を形成した構成でもよい。
【図面の簡単な説明】
【００３５】
【図１】本発明の端子台装置の一実施の形態を示す分解斜視図である。
【図２】同上端子台装置の斜視図である。
【図３】同上端子台装置の正面図である。
【図４】図３におけるIII−III線断面図である。
【図５】可動金具部が下動した状態の断面図である。
【図６】本発明の端子台装置の他の実施の形態を示す斜視図である。
【符号の説明】
【００３６】
１    端子台装置
２    端子台本体
４    電線挿入用開口
11    可動金具
12 可動金具本体
13 上蓋
15 挟持板部
16 立上り板部
17    誤挿入防止板部
18    挟持面部
19    摩擦増大凸部
22 上蓋被取付孔部
24 取付脚部
25 ねじ挿通用孔部
31    ナット体
33    ねじ孔部
41    端子金具
42 挟持板部
43 上方突出板部
44 下方突出板部
45 端子部
48    挟持面部
49    摩擦増大凸部
51    ねじ
【図１】
0004485450.tif 000002
【図２】
0004485450.tif 000003
【図３】
0004485450.tif 000004
【図４】
0004485450.tif 000005
【図５】
0004485450.tif 000006
【図６】
0004485450.tif 000007